(57)【要約】【課題】  短時間で見たい部分の時系列データを短時間で表示して解析できる時系列データ処理プログラムを提供する。【解決手段】  解析する特定フォルダ６ｃが指定されると、中央処理装置２０は、メインメモリ８中の時系列データ処理プログラム９の指令を受け、指定した特定フォルダ６ｃを読込みファイル装置１０に特定フォルダ６ｃとして記録し、特定フォルダ６ｃの特定ファイル６ｃ−０、６ｃ−１、６ｃ−２・・・６ｃ−ｎ毎の時系列データの最大値、最小値、平均値を抽出して圧縮データを形成し、それを特定圧縮ファイル１１として特定フォルダ６ｃ内に記録し、特定圧縮ファイル１１の圧縮データを連結した最大値圧縮グラフ１２、最小値圧縮グラフ１３、平均値圧縮グラフ１４とからなる圧縮グラフ１５としてグラフ化して、該圧縮グラフ１５を表示装置１６に表示する。【選択図】図１
2010128853.tif 000002
【特許請求の範囲】
【請求項１】
特定フォルダに特定ファイルごとに記録されている特定時系列データを処理するためにコンピュータを、
前記特定ファイル毎の前記時系列データの最大値、最小値を抽出して圧縮データを形成する圧縮データ形成手段、
前記圧縮データを特定圧縮ファイルとして記録する圧縮ファイル記録手段、
前記特定圧縮ファイルの前記圧縮データを連結した最大値圧縮グラフ、最小値圧縮グラフとからなる圧縮グラフとしてグラフ化する圧縮データグラフ化手段、
前記圧縮グラフをディスプレイに表示させる圧縮グラフ表示手段、
前記ディスプレイに表示された前記圧縮グラフの見たい範囲を該ディスプレイ面で視覚的に指定する範囲指定手段と、
この範囲指定手段によって指定された指定範囲圧縮データに対応する、前記特定ファイルの部分である指定範囲ファイルを特定する指定範囲ファイル特定手段、
前記指定範囲ファイルの前記時系列データを連結した指定範囲データグラフとしてグラフ化する指定範囲データグラフ化手段、
前記指定範囲データグラフをディスプレイに表示させる指定範囲データグラフ表示手段、
前記指定範囲データグラフ部分の時系列データを指定範囲時系列データファイルとして記録す指定範囲時系列データファイル記録手段手段、
として機能させるための時系列データ処理プログラム。
【発明の詳細な説明】
【技術分野】
【０００１】
本発明はコンピュータを、データ時系列記録装置によって記録された時系列データをグラフ化して表示させるデータ処理装置として機能させるための時系列データ処理プログラムに関する。
【背景技術】
【０００２】
従来の時系列データ処理プログラムは、全ての時系列データをグラフ化しそれから圧縮データを作成するものであった。
【０００３】
したがって、時系列データが膨大（大容量）であると、そのグラフ化に長時間かかってしまうという欠点があった。
【特許文献１】特になし
【発明の開示】
【発明が解決しようとする課題】
【０００４】
本発明は以上のような従来技術の欠点に鑑み、短時間で見たい部分の時系列データを短時間で表示して解析できる時系列データ処理プログラムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために、本発明は以下に述べるような構成となっている。
＜請求項１記載の発明＞
特定フォルダに特定ファイルごとに記録されている特定時系列データを処理するためにコンピュータを、前記特定ファイル毎の前記時系列データの最大値、最小値を抽出して圧縮データを形成する圧縮データ形成手段、前記圧縮データを特定圧縮ファイルとして記録する圧縮ファイル記録手段、前記特定圧縮ファイルの前記圧縮データを連結した最大値圧縮グラフ、最小値圧縮グラフとからなる圧縮グラフとしてグラフ化する圧縮データグラフ化手段、前記圧縮グラフをディスプレイに表示させる圧縮グラフ表示手段、前記ディスプレイに表示された前記圧縮グラフの見たい範囲を該ディスプレイ面で視覚的に指定する範囲指定手段と、この範囲指定手段によって指定された指定範囲圧縮データに対応する、前記特定ファイルの部分である指定範囲ファイルを特定する指定範囲ファイル特定手段、前記指定範囲ファイルの前記時系列データを連結した指定範囲データグラフとしてグラフ化する指定範囲データグラフ化手段、前記指定範囲データグラフをディスプレイに表示させる指定範囲データグラフ表示手段、前記指定範囲データグラフ部分の時系列データを指定範囲時系列データファイルとして記録す指定範囲時系列データファイル記録手段手段、として機能させるための時系列データ処理プログラムである。
【発明の効果】
【０００７】
以上の説明から明らかなように、本発明にあっては次に列挙する効果が得られる。
＜請求項１記載の発明の効果＞
特定フォルダに特定ファイルごとに記録されている特定時系列データを処理するためにコンピュータを、前記特定ファイル毎の前記時系列データの最大値、最小値を抽出して圧縮データを形成する圧縮データ形成手段、前記圧縮データを特定圧縮ファイルとして記録する圧縮ファイル記録手段、前記特定圧縮ファイルの前記圧縮データを連結した最大値圧縮グラフ、最小値圧縮グラフとからなる圧縮グラフとしてグラフ化する圧縮データグラフ化手段、前記圧縮グラフをディスプレイに表示させる圧縮グラフ表示手段、前記ディスプレイに表示された前記圧縮グラフの見たい範囲を該ディスプレイ面で視覚的に指定する範囲指定手段と、この範囲指定手段によって指定された指定範囲圧縮データに対応する、前記特定ファイルの部分である指定範囲ファイルを特定する指定範囲ファイル特定手段、前記指定範囲ファイルの前記時系列データを連結した指定範囲データグラフとしてグラフ化する指定範囲データグラフ化手段、前記指定範囲データグラフをディスプレイに表示させる指定範囲データグラフ表示手段、前記指定範囲データグラフ部分の時系列データを指定範囲時系列データファイルとして記録す指定範囲時系列データファイル記録手段手段、として機能させるための時系列データ処理プログラムであるので、次のような効果を奏する。
すなわち、ディスプレイに表示されている最大値圧縮グラフ、最小値圧縮グラフとからなる圧縮グラフから、見たい部分を視覚的に範囲指定することにより、指定された指定範囲圧縮データに対応する、特定ファイルの部分である指定範囲ファイルを特定して指定範囲データグラフとして表示するものであるので、グラフ化する指定範囲データグラフのファイルデータは小容量となり、短時間（今日のコンピュータでは殆ど瞬時ともいえる速さ）で表示することができるとともに、前記指定範囲データグラフ部分の時系列データを指定範囲時系列データファイルとして記録することができるという効果を奏する。
【発明を実施するための最良の形態】
【０００８】
以下、図面に示す発明を実施するための最良の形態により、本発明を詳細に説明する。
【０００９】
図１ないし図２に示す本発明を実施するための最良の第１の実施の形態において図１はデータ処理装置のシステム１のシステム構成図であり、図２はデータ処理装置のシステム１により実行される処理のフローである。
読込書込装置２に、データ記録装置３により電圧、電流、温度、湿度などの、あるいは１つの測定種別のデータを時系列で記録された記録媒体４（ＳＤメモリカード、ＵＳＢメモリカード、フラッシュメモリカード、フロッピディスク、ハードディスク、ＣＤ、ＤＶＤ、カセットテープなど）がセットされる。
記録媒体４には、フォルダ５に特定フォルダ６ａ、６ｂ、６ｃ・・・６ｎが記録され、該特定フォルダのうちの特定フォルダ６ｃには特定ファイル６ｃ−０、６ｃ−１、６ｃ−２・・・６ｃ−ｎが記録されている。
入力装置１７を使って、フォルダ５あるいは特定フォルダ６ａ、６ｂ、６ｃ・・・６ｎのうち解析したい、ここでは特定フォルダ６ｃを指定する。
解析する特定フォルダ６ｃが指定されると、中央処理装置２０は、メインメモリ８中の時系列データ処理プログラム９の指令を受け、指定した特定フォルダ６ｃを読込みファイル装置１０に特定フォルダ６ｃとして記録し、特定フォルダ６ｃの特定ファイル６ｃ−０、６ｃ−１、６ｃ−２・・・６ｃ−ｎ毎の時系列データの最大値、最小値、平均値を抽出して圧縮データを形成し、それを特定圧縮ファイル１１として特定フォルダ６ｃ内に記録し、特定圧縮ファイル１１の圧縮データを連結した最大値最小値圧縮グラフ１２、平均値圧縮グラフ１４とからなる圧縮グラフ１５としてグラフ化して、該圧縮グラフ１５を表示装置１６に表示する。
入力装置１７を使って、表示装置１６（ディスプレイ）に表示された圧縮グラフ１５の見たい範囲（解析したい範囲）を表示装置１６の画面で視覚的に指定範囲圧縮データを指定すると、中央処理装置２０は、時系列データ処理プログラム９の指令を受けて、指定された指定範囲圧縮データに対応する、特定ファイルの部分である指定範囲ファイルを特定し、該指定範囲ファイルの時系列データを連結した指定範囲データグラフ２３を形成し、指定範囲データグラフ２３を表示装置１６に表示する。
入力装置１７を使って、指定範囲ファイル２２のデータの記録が指示されると、中央処理装置２０は、時系列データ処理プログラム９の指令を受けて、指定範囲全時系列データファイル２４として、特定フォルダ６ｃ内に記録する。
【００１０】
読込書込装置２にセットされた記録媒体４をファイル装置として指定し機能させることも、本願発明の技術的範疇に含むものである。
この場合、記録媒体４の特定フォルダ６ｃ内に特定圧縮ファイル１１が記録され、入力装置１７による記録の指示があった場合の指定範囲全時系列データファイル２４が記録されているので、時系列データ処理プログラム９がインストールされている他のコンピュータで使用することが出来るので便利である。
【００１１】
読込書込装置２に無線回線、通信回線を通じて接続された外部装置のフォルダ５の特定フォルダ６ｃをファイル装置１０に記録し解析する、あるいは外部装置をファイル装置として機能させるという方法も本願発明の技術的範疇に含むものである。
【実施例】
【００１２】
図３において、
波形表示画面と圧縮表示画面とは
波形を表示するのに、波形表示画面と圧縮表示画面の2つがあります。CSVファイルを圧縮しない状態で読み込んだ場合は、波形表示画面に表示されます。CSVファイルを圧縮した状態または、データ圧縮ファイル（cmpファイル）を読み込んだ場合は、圧縮表示画面が表示されます。
波形表示画面では、背景色が白で表示されますが、圧縮表示画面では、全体をグレーに表示し、一目で判断できるようになっています。
【００１３】
図４において、
データ圧縮表示とは
0.5secサンプリングで14日間の記録を行うと、蓄積された記録データ容量は約100Mバイトになり、この記録データは、約340ファイルとなります。この大容量データの読み込みは、約5〜10分程度の時間が必要となりますが、圧縮表示は、1ファイルに対しCH1、CH2の最大値、最小値、平均値（1時間または1日のファイル）を算出し、波形を表示するので約1分程度でファイルの最大値、最小値、平均値（1時間または1日のファイル）を波形の表示を行うことができます。（コンピュータの能力によって異なる）
1ファイルごとに、最大値、最小値、平均値を算出し時間軸で並び替えます。この処理を、340ファイルに対しておこない1つの波形として表示させます。（最下図）
【００１４】
データの読込みをおこなう
フォルダ内に記録されたすべてのCSVファイル（１時間または1日のファイル）を連結させて読み込みをおこないます。また、フォルダ読み込み時に自動的にファイルごとの最大値、最小値、平均値を算出し特定圧縮ファイル１１（cmp）を保存します。
（１）CSVファイルの読み込み時に、波形表示画面、圧縮画面表示のどちらで開くかを選択します。
[表示]メニューの[読み込時の圧縮表示  On/Off]を選択します。選択がOnになっていると[読込み時の圧縮表示  On／Oｆｆ]の横にレ点が表示されます。
（２）[ファイル]メニューの[開く]を選択します。
（３）[フォルダの参照]が表示されますので読み込みたいファイルを選択し[OK]ボタンをクリックします。
（４）ファイルを選択するとCSVデータを読み込みます。
圧縮表示Off時は[読込み中  圧縮表示なし]、圧縮表示On時は[読込み中  圧縮表示あり]画面が表示されファイル処理数が表示されます。
（５）読込み処理が終了すると波形表示画面に読み込んだ波形が表示されます。（図５参照）
【００１５】
特定圧縮ファイル１１について  ファイル読み込みを行うと自動的に、cmpファイルを作成し保存します。保存名はフォルダ指定したフォルダ名+拡張子（cmp）になり、同フォルダ内に保存されます。一度、データを読み込むと次回からは、圧縮ファイルを読み込むことにより短時間で波形を読み出すことが可能となります。
圧縮ファイルについて  ファイル読み込みを行うと自動的に、cmpファイルを作成し保存します。保存名はフォルダ指定したフォルダ名+拡張子（cmp）になり、同フォルダ内に保存されます。一度、データを読み込むと次回からは、圧縮ファイルを読み込むことにより短時間で波形を読み出すことが可能となります。
【００１６】
圧縮ファイル読み込み方法1（P25）
一度、データを読み込むと自動的に、cmpファイルとして保存されているため、短時間で圧縮ファイルを開くことができます。
（１）[ファイル]メニューの[圧縮ファイル読み込み]を選択します。
（２）[ファイルを開く]が表示されるので、読み込みたい圧縮ファイルを選択し開くをクリックします。
（３）データ圧縮ファイルが表示されます。
【００１７】
圧縮ファイル読み込み方法2  ファイルから直接読み込む（P26）
時系列データ処理プログラムを立ち上げていなくても、cmpファイルをダブルクリックすることでデータ圧縮ファイルを読み込む事ができます。
エクスプローラなどでデータ圧縮されたファイルをダブルクリックします。
自動的に時系列データ処理プログラムが立ち上がり、圧縮ファイルが表示されます。
【００１８】
圧縮ファイルからデータの読み込みをおこなう
（１）圧縮ファイルを開きます。（P27）
[データ圧縮ファイル読み込み方法]を参照してください。
（２）圧縮表示画面で右クリックし、ポップアップメニューの[データ選択]をクリックします。
選択をすると[データ選択]の横にレ点が入ります。
（３）圧縮表示画面で、詳細なデータ解析をしたい部分をドラックし選択します。
マウスをドラックしながら範囲を設定すると、選択された部分が水色になります。（図６参照）
（４）圧縮表示画面で右クリックし、ポップアップメニューの[選択範囲読込み]をクリックすると、[読み込み中]が表示されデータを読み込みます。
[読み込み中]画面内に[ファイル数  15/24]と表示されファイルがいくつ選択されているか確認ができます。読み込みをキャンセルしたい場合は、“キャンセル”ボタンを押してください。
（５）選択された範囲の指定範囲ファイルを読み込み、その指定範囲データグラフを波形表示画面に表示します。
選択された範囲のみを表示するので読み込みに時間がかからず解析ができます。
スケールは、圧縮表示で設定したスケールが波形表示画面に継承されます。（図６参照）
指定範囲ファイルは保存（記録）を指示することにより、指定範囲全時系列データファイル２４として、解析しているフォルダに内に記録することができます。
【００１９】
データの追加読込みをおこなう（P29）
複数のデータを比較したい場合は、追加読み込みを行うことで並べて比較できます。
（１）[ファイル]メニューの[開く]を選択します。
（２）[フォルダの参照]が表示されますので、追加で読み込みたいフォルダを選択し[OK]をクリックします。
（３）波形表示画面に新しいウィンドウが表示されます。
波形表示をしている画面の上に新しい波形表示画面が表示されますので、[ウインドウの整列]―[上下に整列]を選択し整列をさせます。（図７参照）
【００２０】
カーソルの動作をおこなう（P31）
波形表示画面または、圧縮表示画面に表示されている波形の詳細な数値を解析します。カーソル1、カーソル2の位置の値（計測値）、時刻、カーソル1、2のデータ差分、時刻差分を読みとることができます。
（１）[波形操作]メニューの[カーソル]を選択するとカーソルが波形表示画面に表示されます。
波形表示画面で右クリックし、ポップアップメニューの[カーソル]をクリックしても選択できます。
圧縮表示画面では、画面内を右クリックしポップアップメニューの[カーソル]を選択します。
（２）波形表示画面または、圧縮表示画面にカーソル1、2が表示されます。
（３）波形表示画面または圧縮表示画面のカーソル1またはカーソル2をクリックしたままデータを解析したい位置まで動作させます。
おおまかな動作はマウスで操作し、微調整（サンプリングでの動作）はキーボードで操作します。
圧縮表示の場合は、1ファイル（1時間ファイルまたは1日ファイル）の、最大、最小、平均されたデータで動作します。
（４）カーソル1とカーソル2の間の波形との交点の数値がデータ表示部に表示されます。（図８参照）
【００２１】
波形を拡大する（P30）
（１）[波形操作]メニューの[X拡大、Y拡大、XY拡大]のいずれかを選択します。
（２）波形表示画面、圧縮表示画面の拡大したエリアを選択すると波形が拡大表示されます。
圧縮表示画面も下記の内容と同様の操作内容となります。（図９参照）
【００２２】
拡大を元に戻す（P33）
拡大した画像を元の波形（データ読込み時と同じ表示）に戻します。波形表示画面、圧縮表示画面で拡大されている波形が対象となります。
（１）[波形操作]メニューの[拡大を元に戻す]を選択します。
波形表示画面で右クリックし、ポップアップメニューの[拡大を元に戻す]をクリックしても可能です。
圧縮表示画面では、画面内を右クリックしポップアップメニューの[拡大を元に戻す]を選択します。（図１０参照）
【００２３】
波形を印刷する（P35）
波形表示画面、圧縮表示画面に表示されている波形が印刷できます。波形表示画面で複数表示している場合は、選択しているファイルを印刷します。（圧縮表示画面では1画面のみしか開けません）
（１）[ファイル]メニューの[印刷]を選択します。
（２）[印刷]ダイアログボックスが表示されるので[出力プリンタの選択]、[ページ範囲]、[印刷部数]を設定し[印刷]ボタンを押します。
（３）印刷内容は、データ表示部が上部に印刷され、下部にはCH1、CH２の波形が印刷されます。（図１１参照）
【００２４】
印刷プレビュー（P36）
印刷した時のイメージを画面上で確認することができます。印刷プレビューから印刷も可能です。
波形表示画面のみ対応しています。
（１）[ファイル]メニューの[印刷プレビュー]を選択します。
（２）[印刷プレビュー]が表示されるので印刷イメージを確認します。（図１２参照）
（３）表示の拡大、縮小を ボタンで行い画像を確認します。
（４）印刷プレビュー確認後、印刷を行う場合は ボタンをクリックします。
[印刷]ダイアログボックスが表示されるので[出力プリンタの選択]、[ページ範囲]、[印刷部数]を設定し[印刷]ボタンを押します。
【００２５】
ウィンドウの整列をおこなう（P37）
（１）波形表示画面で複数の波形を表示します。
（２）[表示]メニューの[ウィンドウの整列]。  [上下に表示]、[左右に表示]、[重ねて表示]のいずれかを選択します。
（３）選択後、波形表示画面が選択したタイプに整列して表示されます。（図１３参照）
【００２６】
波形・カーソル色の変更をおこなう（P38）
（１）[表示]メニューの[波形操作、設定画面表示]を選択します。
ツールバーの ボタンもしくは波形表示画面を右クリックし[波形操作、設定画面表示]でも選択可能です。
圧縮表示画面では、ツールバー ボタンもしくは圧縮表示画面を右クリックし[波形操作、設定画面表示]で選択できます。
（２）[波形操作、設定]の[波形色  CH1  CH2]または[カーソル色  1  2]の黒四角をクリックすると、[色の設定]ダイアログボックスが表示されます。
（３）任意の色を選択し[OK]ボタンをクリックし、[波形操作、設定]画面の[戻る]を押すと波形色・カーソル色の変更がおこなえます。
【００２７】
波形の表示、非表示をおこなう（P39）
データ表示部の表示チェックボックスをON/OFFすることにより波形の表示、非表示の切り替えがおこなえます。
波形表示画面、圧縮表示画面共通の操作で可能です。
（１）非表示にしたいCHを選択します。データ表示部の[表示]のチェックボックスをOFFにします。
ツールバーの ボタンもしくは波形表示画面を右クリックし[波形操作、設定画面表示]でも選択可能です。
圧縮表示画面では、ツールバー ボタンもしくは圧縮表示画面を右クリックし[波形操作、設定画面表示]で選択できます。
（２）非表示にしたCHの波形が波形表示画面に表示されなくなります。
【００２８】
波形表示の変更をおこなう（P40）
波形表示画面、圧縮表示画面の波形の種類を[ライン]または[ドット]表示の選択ができます。ライン表示では、データが全て線で繋がるのでデータのない箇所にもデータがあるように表示されます。
ドット表示では、サンプリングで取得した値ごとに表示されるので、実際にデータのある個所だけにドットが表示されるのでどの個所にデータがあるのかわかります。
（１）[表示]メニューの[波形操作、設定画面表示]を選択します。
ツールバーの ボタンまたは、波形表示画面で右クリックし、ポップアップメニューの[波形操作、設定画面表示]をクリックしても可能です。
圧縮表示画面では、ツールバー ボタンもしくは圧縮表示画面を右クリックし[波形操作、設定画面表示]で選択できます。
（２）[波形操作、設定画面表示]が表示されます。（図１４（ａ）参照）
「波形操作、設定」画面内の[波形操作]タブ−[波形表示]の逆黒三角をクリックし、[ドット]を選択します。
（３）ライン表示（図１４（ｂ）からドット表示（図１４（ｃ）に切り替わります。
【００２９】
波形のスケール変更をする（P41）
波形表示画面、圧縮表示画面に表示されている波形をユーザが指定したスケールに変更することができます。縦軸、横軸（時刻）のスケールの拡大、縮小を変更することができます。縦軸に関しては、データ読込み時の最大、最小値の差分の±10％でオートスケール表示されます。
（１）[表示]メニューの[波形操作、設定画面表示]を選択します。
ツールバーの ボタンまたは、波形表示画面で右クリックし、ポップアップメニューの[波形操作、設定画面表示]をクリックしても可能です。
（２）[波形操作、設定画面表示]が表示されます。
[波形操作、設定]画面内の[波形操作]タブ−[X軸スケール]の[年月日時分秒]、[Y軸スケール]のCH1、CH2の[上限値・下限値]を入力し[波形再表示]をクリックすると、波形表示画面または圧縮表示画面が更新され設定値が反映されます。（図１５参照）
【００３０】
波形にコメントを挿入する    [波形表示、圧縮表示共通機能]（P42、43）
波形表示画面に表示されている波形の任意の位置にコメントを入力することができます。
カーソル1、2のクロスした箇所に入力されたコメントを入力することができます。
クロスした箇所のCH1、CH2のどちらに表示させるか選択しカーソル1、カーソル2のどちらかのボタンを押して表示させます。
（１）波形表示画面、圧縮表示画面の波形でコメントを入力したい箇所にカーソル1、又はカーソル2を動作させます。
コメントが入力される位置は、カーソルと波形との交点に入力されます。
（２）[表示]メニューの[波形操作、設定画面表示]を選択します。
ツールバーの ボタンまたは、波形表示画面で右クリックし、ポップアップメニューの[波形操作、設定画面表示]をクリックしても可能です。（図１６（ａ）参照）
（３）[波形操作、設定画面表示]が表示されます。
[波形操作、設定]画面内の[波形操作]タブで、入力したいCHを[表示データ]で選択し、コメント欄に挿入したい文字を入力します。（図１６（ｂ）参照）
（４）コメント入力後に、[カーソル1上表示]、[カーソル2上表示]のいずれかを選択すると波形表示画面、圧縮表示画面上にコメントを挿入します。（図１７（ａ）（ｂ）参照）
【００３１】
コメントの編集、削除  [波形表示、圧縮表示共通機能]（P44）
（１）[波形操作、設定画面表示]内の[コメント編集]をクリックします。（図１８（ａ）参照）
（２）[コメント編集]が表示されます。
コメントを編集する場合は、“コメント”のセルをクリックし、文字を編集します。（図１８（ｂ）左図参照）
[コメント変更]をクリックすると、編集された文字が波形表示画面に反映されます。（図１８（ｂ）右図参照）
コメントを削除する場合は、“チェックボックス”チェックを入れ[コメント削除]をクリックすると削除されます。
（３）コメント編集、削除後に[戻る]ボタンをクリックすると波形表示画面、圧縮表示画面に反映されます。
【００３２】
波形・カーソル色の変更をおこなう    [波形表示、圧縮表示共通機能]（P45）
波形表示画面、圧縮表示画面に表示されているCH1、CH2の波形色の変更をおこないます。
波形表示画面では、各画面に対して波形色、カーソル色の変更ができます。
（１）[表示]メニューの[波形操作、設定画面表示]を選択します。
ツールバーの ボタンもしくは波形表示画面を右クリックし[波形操作、設定画面表示]でも選択可能です。
（２）[波形操作、設定]の[波形色  CH1  CH2]または[カーソル色  1  2]の黒四角をクリックすると、[色の設定]ダイアログボックスが表示されます。任意の色を選択し[OK]ボタンをクリックします。
（３）任意の色を選択し[OK]ボタンをクリックします。[波形操作、設定]画面の[戻る]を押すと波形色・カーソル色の変更がおこなえます。
【００３３】
時間軸の表示・非表示をおこなう  [波形表示、圧縮表示共通機能]
波形表示画面、圧縮表示画面に、時間軸の表示、非表示を選択できます。
（１）[波形操作]メニューの[時間表示]を選択します。（P46）
波形表示画面で右クリックし、ポップアップメニューの[時間表示]をクリックしても可能です。（図１９（ａ）参照）
この機能は、[波形操作、設定]画面からも選択が可能です。
ツールバーの ボタンをまたは、波形表示画面、圧縮表示画面を右クリックし[波形操作、設定画面表示]を選択します。
[波形操作、設定]画面内の[波形操作タブ]−[時間表示]の逆黒三角をクリックすると、[あり、なし]が選択できます。（図１９（ｂ）参照）
（２）[時間表示]を“あり”にすると波形表示画面の下側に時間が表示されます。
表示内容は、年/月/日/時/分/秒が表示されます。表示している波形に対し5分割で表示をします。（図１９（ｃ）参照）
【００３４】
グリッド線の表示、非表示    [波形表示、圧縮表示共通機能]（P47）
波形表示画面、圧縮表示画面で、グリッド線の表示、非表示を選択することができます。表示を“あり”にすると横軸のグリッド線が表示されます。
（１）[表示]メニューの[波形操作、設定画面表示]を選択します。
ツールバーの ボタンまたは、波形表示画面で右クリックし、ポップアップメニューの[波形操作、設定画面表示]をクリックしても可能です。（図２０（ａ）参照）
（２）[波形操作、設定画面表示]が表示されます。
[波形操作、設定]画面の[波形操作]タブで、[グリッド線表示]を[あり]を選択します。（図２０（ｂ）参照）
（３）波形表示画面、圧縮表示画面にグリッド線が表示されます。（図２０（ｃ）参照）
【００３５】
波形表示状態を設定する    [波形表示、圧縮表示共通機能] （P48）
波形表示画面、圧縮表示画面の波形色、カーソル色、時間表示、グリッド線表示など変更を行った後に、初期値に設定しておくと、次回から読込んだデータは初期値で設定した状態で表示されます。
（１）[表示]メニューの[波形操作、設定画面表示]を選択します。
（２）[波形操作、設定画面表示]が表示されます。
[波形操作、設定]画面の[波形操作]タブで、[初期値に設定]をクリックします。
次回から読込んだデータは初期値で設定した表示方法で波形表示画面、圧縮表示画面に表示されます。
【００３６】
波形表示状態を初期値に戻す（P48）
波形色、カーソル色、時間表示、グリッド線表示など初期状態に戻したい場合は、[初期値に戻す]をクリックします。
クリック後、次回から読込んだデータは初期値で表示されます。
【００３７】
ウインドウの整列をおこなう（P49、50）
波形表示画面で複数の波形を表示した際に、ウインドウを[上下に表示]、[左右に表示]、[重ねて表示]の3タイプより整列がおこなえます。
（１）波形表示画面で複数の波形を表示します。
（２）[表示]メニューの[ウィンドウの整列]- [上下に表示]、[左右に表示]、[重ねて表示]のいずれかを選択します。
（３）選択後、波形表示画面が選択したタイプに整列して表示されます。
上下に表示
表示している波形を上下に並びかえます。（図２１（ａ）参照）
左右に表示
表示している波形を左右に並びかえます。（図２１（ｂ）参照）
重ねて表示
表示している波形を重ねて並びかえます。（図２１（ｃ）参照）
【００３８】
波形の表示、非表示をおこなう    [波形表示、圧縮表示共通機能] （P51）
データ表示部の表示チェックボックスをON/OFFすることにより波形の表示、非表示の切り替えがおこなえます。
波形表示画面、圧縮表示画面共通の操作で可能です。
（１）非表示にしたいCHを選択します。データ表示部の[表示]のチェックボックスをOFFにします。（図２２（ａ）参照）
[表示]のチェックボックスをOFFにします。  
今回はCH2をOFFにします
（２）非表示にしたCHの波形が波形表示画面に表示されなくなります。（図２２（ｂ）参照）
【００３９】
データを検索する [波形表示、圧縮表示共通機能] （P52）
波形表示画面、圧縮表示画面に表示されている波形から、[アラーム検索]、[最大値、最小値検索]ができます。
【００４０】
アラーム検索をおこなう（P53）
（１）[表示]メニューの[波形操作、設定画面表示]を選択します。
（２）[波形操作、設定画面表示]が表示されます。
[波形操作、設定]画面の[データ検索]タブー[アラーム検索]の[検索CH]で検索したいCHを選択します。
（３）[アラーム検索]の[上限値]、[下限値]に任意の値を入力します。（図２３（ａ）参照）
検索方向の  左右矢印  をクリックすると[検索CH]で設定したカーソルが検索位置まで移動します。（図２３（ｂ）参照）
【００４１】
最大値、最小値検索を行う（P54）
最大値、最小値検索とは、波形表示画面、圧縮表示画面に表示されている波形から指定したCHの最大値、最小値を検索します。
（１）[表示]メニューの[波形操作、設定画面表示]を選択します。
（２）[波形操作、設定画面表示]が表示されます。（図２４（ａ）参照）
[波形操作、設定]画面の[データ検索]タブ  ー  [最大値、最小値検索]の[検索CH]で検索したいCHを選択します。
（３）[検索CH]を選択後、[最大値検索]、[最小値検索]ボタンのいずれかをクリックするとカーソル1が最大値もしくは最小値の場所に移動します。（図２４（ｂ）参照）
【００４２】
アラーム検索（P55）
検索したいCH、上限値、下限値に任意の値を設定してください。左右矢印ボタンを押すと現在のカーソル1がある場所から設定された値を超えた個所にカーソル1が移動します。ボタンを押すごとに各ピーク値に移動します。
アラーム検索を行う前にカーソルを表示しておいてください。波形操作画面からカーソルを選択する  と表示されます。
例：CH1を0.6、-0.6を上限値、下限値とした場合。
矢印ボタンを押すごとに次のピーク値にカーソル1が移動します。
【００４３】
データ変換画面  [波形表示、圧縮表示共通機能] （P56）
この画面では下記の機能が使用できます。（図２５参照）
データ検索
CH1、CH2データ変換
データ変換
任意の値を入力信号に換算したい場合、データ変換を行います。CH1、CH2個別に設定します。
本体側のスケーリング設定機能と同じになっています。
各設定項目を変更し、変換したいCHを選択して変換ボタンを押すと変換されます。
Unitはリストから選択もしくはユーザー入力も可能です。
これにより好みの単位に変更が可能です。
【００４４】
データ変換計算式（P56、57）
スケーリング・・・あらかじめ設定され記憶している換算式に内部サンプリングした入力値をあてはめ、逐次計測値に変換する機能です。（図２６（ａ）参照）
電圧入力タイプのスケーリング換算式は（図２６（ｂ）参照）の通りです。
Ｘ１：表示値がＹ１となるときの入力値
Ｙ１：入力値がＸ１となるときの表示値
Ｘ２：表示値がＹ２となるときの入力値
Ｙ２：入力値がＸ２となるときの表示値
Ｘ０：サンプリングごとの入力値
Ｙ０：対応する表示値
スケーリング換算式で分母Ｘ２-Ｘ1＝0のとき、入力値が不適切なため入力値エラーとなりますので再度、適切な値を入力してください。
オーバーフローについて
ゼロ・フルスケール入力値が設定範囲外となりオーバーフローとなったとき、表示と記録は＋＋＋＋＋＋（又は−−−−−−）が固定表示・記録されます。（図２６（ｃ）参照）
【産業上の利用可能性】
【００４５】
本発明はデータ時系列記録装置を使用する産業で利用される。
【図面の簡単な説明】
【００４６】
【図１】本発明の実施の形態のデータ処理装置のシステム構成図
【図２】本発明の実施の形態のデータ処理装置のシステムにより実行される処理のフロー図
【図３】本発明の実施の形態の実施例の波形表示画面図および圧縮表示画面図
【図４】本発明の実施の形態の実施例のデータ圧縮表示図。
【図５】本発明の実施の形態の実施例の波形表示画面図。
【図６】本発明の実施の形態の実施例のスケールが波形表示画面に継承された状態図
【図７】本発明の実施の形態の実施例のデータの追加読込み指示画面図。
【図８】本発明の実施の形態の実施例のカーソルの操作・動作を示す画面図。
【図９】本発明の実施の形態の実施例の波形の拡大画面図。
【図１０】本発明の実施の形態の実施例のポップアップメニュー画面図。
【図１１】本発明の実施の形態の実施例の印刷画面図。
【図１２】本発明の実施の形態の実施例の印刷プレビュー画面図。
【図１３】本発明の実施の形態の実施例のウィンドウの整列画面図。
【図１４】本発明の実施の形態の実施例の波形表示の変更画面図。
【図１５】本発明の実施の形態の実施例の波形のスケール変更画面図。
【図１６】本発明の実施の形態の実施例のポップアップメニュー画面図。
【図１７】本発明の実施の形態の実施例のコメント入力画面および波形表示画面。
【図１８】本発明の実施の形態の実施例のコメントの編集画面および波形表示画面。
【図１９】本発明の実施の形態の実施例のポップアップメニュー画面および波形表示画面。
【図２０】本発明の実施の形態の実施例のポップアップメニュー画面および波形表示画面
【図２１】本発明の実施の形態の実施例の波形のタイプの並びかえを示す波形表示画面。
【図２２】本発明の実施の形態の実施例の波形の表示、非表示状態の表示画面。
【図２３】本発明の実施の形態の実施例のアラーム検索の入力画面および検索結果の波形表示画面。
【図２４】本発明の実施の形態の実施例の最大値、最小値検索の入力画面および検索結果の波形表示画面。
【図２５】本発明の実施の形態の実施例のデータ変換画面図。
【図２６】本発明の実施の形態の実施例のデータ変換計算式を示す図。
【符号の説明】
【００４７】
１：データ処理装置のシステム、
２：読込書込装置、          ３：データ記録装置、
４：記録媒体、              ５：フォルダ、
６ａ、６ｂ、６ｃ・・・６ｎ：特定フォルダ、
６ｃ−０、６ｃ−１、６ｃ−２・・・６ｃ−ｎ：特定ファイル、
８：メインメモリ、
９：時系列データ処理プログラム、
１０：ファイル装置、      １１：特定圧縮ファイル、
１２：最大値最小値圧縮グラフ、
１４：平均値圧縮グラフ、  １５：圧縮グラフ、
１６：表示装置、          １７：入力装置、
２０：中央処理装置、      ２１：指定範囲圧縮データ、
２２：指定範囲ファイル、  ２３：指定範囲データグラフ、
２４：指定範囲全時系列データファイル、
【図１】
2010128853.tif 000003
【図２】
2010128853.tif 000004
【図３】
2010128853.tif 000005
【図４】
2010128853.tif 000006
【図５】
2010128853.tif 000007
【図６】
2010128853.tif 000008
【図７】
2010128853.tif 000009
【図８】
2010128853.tif 000010
【図９】
2010128853.tif 000011
【図１０】
2010128853.tif 000012
【図１１】
2010128853.tif 000013
【図１２】
2010128853.tif 000014
【図１３】
2010128853.tif 000015
【図１４】
2010128853.tif 000016
【図１５】
2010128853.tif 000017
【図１６】
2010128853.tif 000018
【図１７】
2010128853.tif 000019
【図１８】
2010128853.tif 000020
【図１９】
2010128853.tif 000021
【図２０】
2010128853.tif 000022
【図２１】
2010128853.tif 000023
【図２２】
2010128853.tif 000024
【図２３】
2010128853.tif 000025
【図２４】
2010128853.tif 000026
【図２５】
2010128853.tif 000027
【図２６】
2010128853.tif 000028